【手続補正書】
【提出日】平成19年6月5日(2007.6.5)
【手続補正１】
【補正対象書類名】特許請求の範囲
【補正対象項目名】全文
【補正方法】変更
【補正の内容】
【特許請求の範囲】
【請求項１】
一の面内に配置された複数のプリズムを備え、
前記各プリズムは、光学異方性材料からなり、かつ、入射光のうち第１偏光を透過し、前記入射光のうち前記第１偏光に対して直交する偏光方向を有する第２偏光を反射する
ことを特徴とする偏光素子。
【請求項２】
前記各プリズムは、前記一の面と所定の角度をなす複数の斜面を有し、かつ、前記各斜面において、前記第１偏光を透過し、前記第２偏光を反射する
ことを特徴とする請求項１記載の偏光素子。
【請求項３】
前記一の面と前記各斜面とのなす角度が前記第２偏光に対する臨界角以上である
ことを特徴とする請求項２記載の偏光素子。
【請求項４】
前記一の面と前記各斜面とのなす角度が前記第１偏光に対する臨界角より小さい
ことを特徴とする請求項２または請求項３記載の偏光素子。
【請求項５】
前記各プリズムは、柱状である
ことを特徴とする請求項１記載の偏光素子。
【請求項６】
基材フィルムを備え、
前記各プリズムは、前記基材フィルム上に、当該各プリズムの延在方向が互いに平行となるように並列配置されている
ことを特徴とする請求項５記載の偏光素子。
【請求項７】
前記各プリズムの母線方向は、前記光学異方性材料の光学軸に平行または垂直方向に一致している
ことを特徴とする請求項５記載の偏光素子。
【請求項８】
前記各プリズムは、結晶性樹脂からなる
ことを特徴とする請求項１記載の偏光素子。
【請求項９】
一の面内に配置された複数の第１プリズムと、
前記一の面と対向する他の面内に、前記第１プリズムと所定の間隔で配置された複数の第２プリズムと
を備え、
前記各第１プリズムは、光学異方性材料からなり、かつ、入射光のうち第１偏光を透過すると共に、前記入射光のうち前記第１偏光に対して直交する偏光方向を有する第２偏光を反射し、
前記各第２プリズムは、前記第１プリズムを透過した偏光光を透過する
ことを特徴とする偏光素子。
【請求項１０】
前記各第１プリズムは、前記一の面と所定の角度をなす複数の第１斜面を有し、かつ、前記各第１斜面において、前記第１偏光を透過し、前記第２偏光を反射する
ことを特徴とする請求項９記載の偏光素子。
【請求項１１】
前記一の面と前記各第１斜面とのなす角度が前記第２偏光に対する臨界角以上である
ことを特徴とする請求項１０記載の偏光素子。
【請求項１２】
前記一の面と前記各第１斜面とのなす角度が前記第１偏光に対する臨界角より小さい
ことを特徴とする請求項１０または請求項１１記載の偏光素子。
【請求項１３】
前記各第２プリズムは、前記他の面と所定の角度をなす複数の第２斜面を有し、かつ、前記各第２斜面が前記第１斜面と所定の間隔で対向するように配置されている
ことを特徴とする請求項９記載の偏光素子。
【請求項１４】
前記各第２プリズムは、光学異方性材料からなる
ことを特徴とする請求項９記載の偏光素子。
【請求項１５】
一の面内に配置された複数の第１プリズムと、
前記第１プリズムに接合された複数の第２プリズムと
を備え、
前記各第１プリズムは、光学異方性材料からなり、かつ、入射光のうち第１偏光と前記第１偏光に対して直交する偏光方向を有する第２偏光との各成分を分離すると共に透過し、
前記各第２プリズムは、前記第１プリズムを透過した第１偏光を透過し、前記第１プリズムを透過した第２偏光を反射する
ことを特徴とする偏光素子。
【請求項１６】
前記各第１プリズムは、前記一の面と所定の角度をなす複数の第１斜面を有し、かつ、前記複数の第１斜面のうち一の斜面において、前記第１偏光を透過すると共に前記第２偏光を反射することにより前記入射光のうち前記第１偏光と前記第２偏光との各成分を分離し、前記複数の第１斜面のうち前記一の斜面とは異なる他の斜面において、前記一の斜面で分離された第２偏光を透過し、
前記複数の第２プリズムのうち前記一の斜面に接合されたプリズムは、前記一の斜面と所定の角度をなす複数の第２斜面を有し、かつ、前記第２斜面において、前記第１プリズムを透過した第１偏光を透過し、
前記複数の第２プリズムのうち前記他の斜面に接合されたプリズムは、前記他の斜面と所定の角度をなす複数の第３斜面を有し、かつ、前記第３斜面において、前記第１プリズムを透過した第２偏光を反射する
ことを特徴とする請求項１５記載の偏光素子。
【請求項１７】
前記入射光が前記第１斜面に入射する角度γ１、前記第１プリズムを透過した第２偏光が前記第３斜面に入射する角度γ３は、以下の式を満たす
ことを特徴とする請求項１６記載の偏光素子。
βｓ１≦γ１＜βｐ１      （式１）
γ３＞βs ２              （式２）
βｐ１：前記第１斜面での前記第１偏光に対する臨界角
βｓ１：前記第１斜面での前記第２偏光に対する臨界角
βｓ２：前記第３斜面での前記第２偏光に対する臨界角
【請求項１８】
液晶セルの一方の面に偏光素子が配置された液晶表示パネルであって、
前記偏光素子は、一の面内に配置された複数のプリズムを備え、
前記各プリズムは、光学異方性材料からなり、かつ、入射光のうち第１偏光を透過し、前記入射光のうち前記第１偏光に対して直交する偏光方向を有する第２偏光を反射する
ことを特徴とする液晶表示パネル。
【請求項１９】
液晶表示パネルと、前記液晶表示パネルの一方の面に光を入射させる光源とを備えた液晶表示装置であって、
前記液晶表示パネルは、液晶セルと、前記液晶セルの一方の面に配置された偏光素子とを有し、
前記偏光素子は、一の面内に配置された複数のプリズムを備え、
前記各プリズムは、光学異方性材料からなり、かつ、入射光のうち第１偏光を透過し、前記入射光のうち前記第１偏光に対して直交する偏光方向を有する第２偏光を反射する
ことを特徴とする液晶表示装置。
【手続補正２】
【補正対象書類名】明細書
【補正対象項目名】０００９
【補正方法】変更
【補正の内容】
【０００９】
本発明の第１の偏光素子は、一の面内に配置された複数のプリズムを備えたものである。各プリズムは、光学異方性材料からなり、かつ、入射光のうち第１偏光を透過し、入射光のうち第１偏光に対して直交する偏光方向を有する第２偏光を反射するようになっている。
【手続補正３】
【補正対象書類名】明細書
【補正対象項目名】００１０
【補正方法】変更
【補正の内容】
【００１０】
本発明の第２の偏光素子は、一の面内に配置された複数の第１プリズムと、一の面と対向する他の面内に、第１プリズムと所定の間隔で配置された複数の第２プリズムとを備えたものである。各第１プリズムは、光学異方性材料からなり、かつ、入射光のうち第１偏光を透過すると共に、入射光のうち第１偏光に対して直交する偏光方向を有する第２偏光を反射するようになっている。また、各第２プリズムは、第１プリズムを透過した偏光光を透過するようになっている。
【手続補正４】
【補正対象書類名】明細書
【補正対象項目名】００１１
【補正方法】変更
【補正の内容】
【００１１】
本発明の第３の偏光素子は、一の面内に配置された複数の第１プリズムと、第１プリズムに接合された複数の第２プリズムとを備えたものである。各第１プリズムは、光学異方性材料からなり、かつ、入射光のうち第１偏光と第１偏光に対して直交する偏光方向を有する第２偏光との各成分を分離すると共に透過するようになっている。また、各第２プリズムは、第１プリズムを透過した第１偏光を透過し、第１プリズムを透過した第２偏光を反射するようになっている。
【手続補正５】
【補正対象書類名】明細書
【補正対象項目名】００１３
【補正方法】変更
【補正の内容】
【００１３】
本発明の第１の偏光素子ならびにこれを備えた液晶表示パネルおよび液晶表示装置では、光学異方性を有する複数のプリズムにおいて、入射光のうち第１偏光が透過され、入射光のうち第２偏光が反射される。そして、透過した第１偏光が、例えば液晶表示パネルおよび液晶表示装置の照明光として利用される。
本発明の第２の偏光素子では、光学異方性を有する複数の第１プリズムにおいて、入射光のうち第１偏光が透過され、入射光のうち第２偏光が反射される。そして、透過した第１偏光が、例えば液晶表示パネルおよび液晶表示装置の照明光として利用される。
本発明の第３の偏光素子では、光学異方性を有する第１プリズムにおいて、入射光は第１偏光と第２偏光とに分離される。分離された第１偏光および第２偏光は第１プリズムを透過したのち、第１プリズムを透過した第１偏光は第２プリズムを透過し、第１プリズムを透過した第２偏光は第２プリズムで反射される。そして、透過した第１偏光が、例えば液晶表示パネルおよび液晶表示装置の照明光として利用される。
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】変更
【補正の内容】
【００１７】
本発明の第１の偏光素子ならびにこれを備えた液晶表示パネルおよび液晶表示装置によれば、光学異方性を有する複数のプリズムにおいて、入射光のうち第１偏光を透過し、入射光のうち第２偏光を反射するようにしたので、形成母体自体によって自立的に偏光光を分離することができる。これにより、従来の偏光素子のように何十層もの多層膜を形成する必要がなくなる。よって、製造が容易となり、かつ安価であると共に、空間分離能力に優れたものとなる。
本発明の第２の偏光素子によれば、光学異方性を有する複数の第１プリズムにおいて、入射光のうち第１偏光を透過し、入射光のうち第２偏光を反射するようにしたので、形成母体自体によって自立的に偏光光を分離することができる。これにより、従来の偏光素子のように何十層もの多層膜を形成する必要がなくなる。よって、製造が容易となり、かつ安価であると共に、空間分離能力に優れたものとなる。
本発明の第３の偏光素子によれば、光学異方性を有する第１プリズムにおいて、入射光を第１偏光と第２偏光とに分離すると共に分離した第１偏光および第２偏光を透過したのち、第１プリズムを透過した第１偏光は第２プリズムを透過し、第１プリズムを透過した第２偏光は第２プリズムで反射されるようにしたので、形成母体自体によって自立的に偏光光を分離することができる。これにより、従来の偏光素子のように何十層もの多層膜を形成する必要がなくなる。よって、製造が容易となり、かつ安価であると共に、空間分離能力に優れたものとなる。